(57)【特許請求の範囲】
【請求項１】
ハロゲン化シランからのヒドリドシランの製造法であって、
ａ）ｉ）（ｎが３以上であり、かつＸがＦ、Ｃｌ、Ｂｒおよび／またはＩである）一般式ＳｉnＸ2n+2の少なくとも１つのハロゲン化シランおよび
ｉｉ）一般式
ＮＲＲ'aＲ''bＹc
〔式中、ａは、０または１であり、ｂは、０または１であり、およびｃは、０または１であり、かつ
Ｙは、
【化１】
0005921569.tif 000007
であり、
上記式中、
ａａ）−  Ｒ、Ｒ'および／またはＲ''は、−Ｃ1〜Ｃ12アルキル、−Ｃ1〜Ｃ12アリール、−Ｃ1〜Ｃ12アラルキル、−Ｃ1〜Ｃ12アミノアルキル、−Ｃ1〜Ｃ12アミノアリール、−Ｃ1〜Ｃ12アミノアラルキルであり、
および／または
−  ｃが０である場合にＲ、Ｒ'およびＲ''の２個または３個の基は、一緒になってＮを含む、環式または二環式のヘテロ脂肪族系またはヘテロ芳香族系を形成し、
−  但し、基Ｒ、Ｒ'またはＲ''の少なくとも１個は、−ＣＨ3ではないものとし、
および／または
ｂｂ）−  （ｃが１である場合の）ＲおよびＲ'および／またはＲ''は、−Ｃ1〜Ｃ12アルキレン、−Ｃ1〜Ｃ12アリーレン、−Ｃ1〜Ｃ12アラルキレン、−Ｃ1〜Ｃ12ヘテロアルキレン、−Ｃ1〜Ｃ12ヘテロアリーレン、−Ｃ1〜Ｃ12ヘテロアラルキレンおよび／または−Ｎ＝であるか、
または
ｃｃ）−  （ａ、ｂ、ｃが０である場合に）Ｒは、（Ｒ'''が−Ｃ1〜Ｃ10アルキル、−Ｃ1〜Ｃ10アリールおよび／または−Ｃ1〜Ｃ10アラルキルである）≡Ｃ−Ｒ'''である〕の少なくとも１つの触媒を、
一般式（ｍがｎより大きく、かつＸがＦ、Ｃｌ、Ｂｒおよび／またはＩである）ＳｉmＸ2m+2および（ＸがＦ、Ｃｌ、Ｂｒおよび／またはＩである）ＳｉＸ4の少なくとも１つのハロゲン化シランを含む混合物の形成下に反応させ、
および
ｂ）一般式ＳｉmＸ2m+2の少なくとも１つのハロゲン化シランを、一般式ＳｉmＨ2m+2のヒドリドシランの形成下に水素化し、
ｃ）一般式ＳｉmＨ2m+2のヒドリドシランを、（１＜ｙ＜２ｍ＋１である）一般式ＳｉmＨ(2m+2-y)Ｘyの部分ハロゲン化されたヒドリドシランと分離し、および
ｄ）任意に、工程ｃ）で分離された、（１＜ｙ＜２ｍ＋１である）一般式ＳｉmＨ(2m+2-y)Ｘyの部分ハロゲン化されたヒドリドシランを、再び水素化することを特徴とする、前記製造法。
【請求項２】
一般式ＳｉnＸ2n+2のハロゲン化シランは、直鎖状シランであることを特徴とする、請求項１記載の方法。
【請求項３】
少なくとも１つのハロゲン化シランは、ＸがＦ、Ｃｌ、Ｂｒおよび／またはＩである一般式Ｓｉ3Ｘ8および／またはＳｉ4Ｘ10を有する化合物の群から選択された化合物であることを特徴とする、請求項１または２記載の方法。
【請求項４】
触媒は、さらなるヘテロ原子を有するかまたは有しない環式、二環式または多環式のアミンからなる化合物の群から選択されていることを特徴とする、請求項１から３までのいずれか１項に記載の方法。
【請求項５】
触媒は、ジアザビシクロオクタン、ピリジンまたはＮ，Ｎ−１，４−ジメチルピペラジンであることを特徴とする、請求項４記載の方法。
【請求項６】
水素化前に一般式ＳｉmＸ2m+2の少なくとも１つのハロゲン化シランをＳｉＸ4と、ＳｉＸ4の留去または抽出により、−３０〜＋１００℃の温度および０．０１〜１１００ミリバールの圧力で分離することを特徴とする、請求項１から５までのいずれか１項に記載の方法。
【請求項７】
水素化を、第１主族〜第３主族の金属の金属水素化物の群またはＬｉＡｌＨ4、ＮａＢＨ4、ｉＢｕ2ＡｌＨからなる水素化物化合物の群から選択された、少なくとも１つの水素化剤を添加することによって行なうことを特徴とする、請求項１から６までのいずれか１項に記載の方法。
【請求項８】
工程ｂ）およびｄ）における水素化を溶剤の存在下で実施することを特徴とする、請求項１から７までのいずれか１項に記載の方法。
【発明の詳細な説明】
【技術分野】
【０００１】
本発明は、ハロゲン化シランからのヒドリドシランの製造法に関する。
【０００２】
ヒドリドシランまたはその混合物は、刊行物中にシリコン層を発生させるために考えられうる出発物質として記載されている。その際に、ヒドリドシランとは、主として単にシリコン原子および水素原子を含む化合物であると解釈できる。ヒドリドシランは、ガス状、液状または固体であってよく、かつ固体の場合には、主として溶剤中、例えばトルエンもしくはシクロヘキサン中、または液状シラン中、例えばシクロペンタシラン中で可溶性である。例として、モノシラン、ジシラン、トリシラン、シクロペンタシランおよびネオペンタシランが挙げられる。少なくとも３個または４個のシリコン原子を有するヒドリドシランは、Ｓｉ−Ｈ結合を有する、直鎖状の分枝鎖状または（任意に二環式／多環式）の環式構造を有することができ、かつそれぞれ一般式ＳｉnＨ2n+2（直鎖状または分枝鎖状；ｎは、２以上である）、ＳｉnＨ2n（環式；ｎは、３以上である）またはＳｉnＨ2(n-i)（二環式または多環式；ｎは、４以上であり；ｉは、{環の数}−１である）によって記載することができる。
【０００３】
ヒドリドシランを製造するための数多くの方法は、低級ヒドリドシラン、殊にＳｉＨ4を形式的な脱Ｈ2下に高級シランへ脱水素重合反応させることに基づく。その際に、この脱水素重合反応は、１）熱的に実施されてよく（触媒を使用しない場合には、米国特許第６０２７７０５号明細書Ａ）および／または２）触媒、例えばａ）元素状遷移金属（不均一系触媒反応；白金族金属、すなわちＲｕ、Ｒｈ、Ｐｄ、Ｏｓ、Ｉｒ、Ｐｔが使用される場合には、米国特許第６０２７７０５号明細書Ａ；第３Ｂ族〜第７Ｂ族および第８族の金属、すなわちＣｕ族およびＺｎ族を含まない遷移金属／ランタニド系列についての米国特許第５７００４００号明細書Ａ）、ｂ）非金属酸化物（不均一系触媒反応；Ａｌ2Ｏ3またはＳｉＯ2を使用する場合の米国特許第６０２７７０５号明細書Ａ）、ｃ）スカンジウム、イットリウムまたは希土類の水素化物シクロペンタジエニル錯体（均一系触媒反応；米国特許第４９６５３８６号明細書Ａ、米国特許第５２５２７６６号明細書Ａ）、ｄ）遷移金属錯体（均一系触媒反応；第３Ｂ族〜第７Ｂ族および第８族の金属、すなわちＣｕ族およびＺｎ族を含まない遷移金属／ランタニド系列についての米国特許第５７００４００号明細書Ａ；特開平０２−１８４５１３号公報）またはｅ）担体上に不動態化された、一定の遷移金属（不均一系触媒反応；担体、例えばＳｉＯ2上の白金族金属が使用される場合の米国特許第６０２７７０５号明細書Ａ、炭素上、ＳｉＯ2上またはＡｌ2Ｏ3上で不動態化されたルテニウム、ロジウム、パラジウムまたは白金についての米国特許第５７００４００号明細書Ａ）または遷移金属錯体（不均一系触媒反応；担体、例えばＳｉＯ2上の白金族金属錯体が使用される場合の米国特許第６０２７７０５号明細書Ａ）を使用することによって実施されてよい。しかし、全ての前記方法は、使用される低級ヒドリドシラン自体が最初に費用をかけて製造されなければならないという欠点を有する。更に、前記方法には、当該方法が出発物質の自己発火性のために高い装置的費用が必要であることは、不利である。最後に、前記方法では、これまで十分に高い収率を実現することができなかった。更に、費用のかかる浄化が必要である。
【０００４】
ジハロシランが、任意にトリハロシランおよび／またはテトラハロシランと一緒に電気化学的経路で反応される、ヒドリドシランを製造するための別の方法は、例えば欧州特許出願公開第０６７３９６０号明細書Ａ１に記載されている。しかし、この方法も、電気化学的反応の実施のために、高い装置的費用が必要であり、さらに高いエネルギー密度が必要であるという欠点を有する。最後に、ここでも前もって、それぞれジハロシランまたはトリハロシランを最初に費用をかけて製造すべきである。
【０００５】
それとは別に、高級ヒドリドシランは、脱ハロゲン化およびハロシランとアルカリ金属との重縮合によって製造されてもよい（英国特許第２０７７７１０号明細書Ａ）。しかし、この方法も十分でない高さの収率を生じる。更に、これは、あまり選択的でない方法である。
【０００６】
Ａ．Ｋａｃｚｍａｒｃｚｙｋ他、Ｊ．Ｉｎｏｒｇ．Ｎｕｃｌ．Ｃｈｅｍ．、１９６４、第２６巻、４２１〜４２５またはＧ．Ｕｒｒｙ，Ｊ．Ｉｎｏｒｇ．Ｎｕｃｌ．Ｃｈｅｍ．、１９６４、第２６巻、４０９〜４１４は、低級クロロシランからの高級クロロシランの触媒反応による増成、殊にペンタシリコンドデカクロリド（ネオペンタシラン、Ｓｉ（ＳｉＨ3）4のクロロ類似物）の増成を教示している。すなわち、Ａ．Ｋａｃｚｍａｒｃｚｙｋ他、Ｊ．Ｉｎｏｒｇ．Ｎｕｃｌ．Ｃｈｅｍ．、１９６４、第２６巻、４２１〜４２５は、テトラクロロシランの生成下でヘキサクロロジシランからのペンタシリコンドデカクロリドの合成を教示している。更に、前記引用箇所には、オクタクロロトリシランの相応する使用の際に、ペンタシリコンドデカクロリドおよびヘキサクロロジシランが生じることが記載されている。前記引用箇所で使用される触媒は、トリメチルアミンである。Ｇ．Ｕｒｒｙ，Ｊ．Ｉｎｏｒｇ．Ｎｕｃｌ．Ｃｈｅｍ．、１９６４、第２６巻、４０９〜４１４は、テトラクロロシランの生成下でヘキサクロロジシランからのペンタシリコンドデカクロリドのトリメチルアミン触媒反応による合成が教示されているか、またはヘキサクロロジシランの生成下でオクタクロロトリシランからのペンタシリコンドデカクロリドのトリメチルアミン触媒反応による合成が教示されている。この引用箇所には、ヒドリドシランへの前記生成物の水素化は、記載されていない。更に、この方法によれば、高級ペルクロロシランの満足のいく収率は、達成されない。更に、オクタクロロトリシランを使用する合成の変法の場合に、生じる副生成物のヘキサクロロジシランがヘキサクロロジシランを基礎とする変法の場合に生じるテトラクロロシランと比較して室温および常圧で易揮発性ではなく、それゆえに排出されず、費用をかけて留去されなければならないという欠点を有する。
【０００７】
ＷＯ  ２００８／０５１３２８Ａ１には、ネオペンタシラン含有の組成物を製造するために、式Ｘ3ＳｉＳｉＸ3のヘキサハロジシランを、第三級アミン触媒でテトラキス（トリハロシリル）シラン（Ｓｉ（ＳｉＸ3）4）およびテトラハロシランを含む第１の混合物の形成下に変換することが教示されている。２つの主要成分のテトラキス（トリハロシリル）シランおよびテトラハロシランは、互いに分離されてよい。得られたテトラキス（トリハロシリル）シランは、ジイソブチルアルミニウムヒドリドでの水素化によってネオペンタシラン（Ｓｉ（ＳｉＨ3）4）へ変換されてよい。しかし、この方法も反応方程式（４Ｓｉ2Ｃｌ6→Ｓｉ5Ｃｌ12＋３ＳｉＣｌ4）に基づいてなお満足のいく収率を生じない。
【０００８】
ドイツ連邦共和国特許第１０２００９０５３８０４号明細書には、ヒドリドシラン、殊にネオペンタシランをより高い収率で製造するための方法が記載されている。この方法の場合、
ａ）ｉ）（ｎが３以上であり、かつＸがＦ、Ｃｌ、Ｂｒおよび／またはＩである）一般式ＳｉnＸ2n+2の少なくとも１つのハロゲン化シランおよび
ｉｉ）一般式
ＮＲＲ'aＲ''bＹc
〔式中、ａは、０または１であり、ｂは、０または１であり、およびｃは、０または１であり、かつ
Ｙは、
【化１】
0005921569.tif 000002
であり、
上記式中、
ａａ）−  Ｒ、Ｒ'および／またはＲ''は、−Ｃ1〜Ｃ12アルキル、−Ｃ1〜Ｃ12アリール、−Ｃ1〜Ｃ12アラルキル、−Ｃ1〜Ｃ12アミノアルキル、−Ｃ1〜Ｃ12アミノアリール、−Ｃ1〜Ｃ12アミノアラルキル、殊に有利に−Ｐｈ、−ＰｈＣＨ3、−ＰｈＣ2Ｈ5、−ＰｈＣ3Ｈ7、−ＣＨ2（Ｃ6Ｈ4）ＣＨ3、−ＣＨ2（Ｃ6Ｈ4）Ｃ2Ｈ5、−Ｃ2Ｈ4（Ｃ6Ｈ4）Ｃ2Ｈ5、−Ｃ2Ｈ4（Ｃ6Ｈ4）Ｃ3Ｈ7、−Ｃ3Ｈ6（Ｃ6Ｈ4）Ｃ3Ｈ7、−Ｃ6Ｈ2（ＣＨ3）3、−Ｃ6Ｈ3（ＣＨ3）2、−Ｃ8Ｈ7、−Ｃ8Ｈ6ＣＨ3、
（Ｒ'''およびＲ''''が−Ｃ1〜Ｃ10アルキル、−Ｃ1〜Ｃ10アリールおよび／または−Ｃ1〜Ｃ10アラルキルである）−ＰｈＮＲ'''Ｒ''''、−ＰｈＣＨ2ＮＲ'''Ｒ''''、−ＰｈＣ2Ｈ4ＮＲ'''Ｒ''''、−ＰｈＣ3Ｈ6ＮＲ'''Ｒ''''、−ＣＨ2（Ｃ6Ｈ4）ＣＨ2ＮＲ'''Ｒ''''、−ＣＨ2（Ｃ6Ｈ4）Ｃ2Ｈ4ＮＲ'''Ｒ''''、−Ｃ2Ｈ4（Ｃ6Ｈ4）Ｃ2Ｈ4ＮＲ'''Ｒ''''、−Ｃ2Ｈ4（Ｃ6Ｈ4）Ｃ3Ｈ6ＮＲ'''Ｒ''''、−Ｃ3Ｈ6（Ｃ6Ｈ4）Ｃ3Ｈ6ＮＲ'''Ｒ''''、−ＣＨ2ＮＲ'''Ｒ''''、−Ｃ2Ｈ4ＮＲ'''Ｒ''''、−Ｃ3Ｈ6ＮＲ'''Ｒ''''、−Ｃ4Ｈ8ＮＲ'''Ｒ''''、−Ｃ5Ｈ10ＮＲ'''Ｒ''''、−Ｃ6Ｈ12ＮＲ'''Ｒ''''、−Ｃ7Ｈ14ＮＲ'''Ｒ''''、−Ｃ8Ｈ16ＮＲ'''Ｒ''''、−Ｃ9Ｈ18ＮＲ'''Ｒ''''および／または−Ｃ10Ｈ20ＮＲ'''Ｒ''''であり、
および／または
−  ｃが０である場合にＲ、Ｒ'およびＲ''の２個または３個の基は、一緒になってＮを含む、環式または二環式のヘテロ脂肪族系またはヘテロ芳香族系を形成し、殊にその際に有利には、これらの環式または二環式のヘテロ脂肪族系またはヘテロ芳香族系は、ピロリジン環系、ピロール環系、ピペリジン環系、ピリジン環系、ヘキサメチレンイミン環系、アザトロピリデン環系またはキノリン環系であり、
−  但し、基Ｒ、Ｒ'またはＲ''の少なくとも１個は、−ＣＨ3ではないものとし、
および／または
ｂｂ）−  （ｃが１である場合の）ＲおよびＲ'および／またはＲ''は、−Ｃ1〜Ｃ12アルキレン、−Ｃ1〜Ｃ12アリーレン、−Ｃ1〜Ｃ12アラルキレン、−Ｃ1〜Ｃ12ヘテロアルキレン、−Ｃ1〜Ｃ12ヘテロアリーレン、−Ｃ1〜Ｃ12ヘテロアラルキレンおよび／または−Ｎ＝、
殊に有利に−ＣＨ2−、−Ｃ2Ｈ4−、−Ｃ3Ｈ6−、−Ｃ4Ｈ8−、−Ｃ5Ｈ10−、−Ｃ6Ｈ12−、−Ｃ7Ｈ14−、−Ｃ8Ｈ16−、−Ｃ9Ｈ18−、−Ｃ10Ｈ20−、−Ｐｈ−、−ＰｈＣＨ2−、−ＰｈＣ2Ｈ4−、−ＰｈＣ3Ｈ6−、−ＣＨ2（Ｃ6Ｈ4）ＣＨ2−、−ＣＨ2（Ｃ6Ｈ4）Ｃ2Ｈ4−、−Ｃ2Ｈ4（Ｃ6Ｈ4）Ｃ2Ｈ4−、−Ｃ2Ｈ4（Ｃ6Ｈ4）Ｃ3Ｈ6−、−Ｃ3Ｈ6（Ｃ6Ｈ4）Ｃ3Ｈ6−、−Ｃ6Ｈ（ＣＨ3）3−、−Ｃ6Ｈ2（ＣＨ3）2−、−ＣＨ＝、−ＣＨ＝ＣＨ−、−Ｎ＝、−Ｎ＝ＣＨ−および／または−ＣＨ＝Ｎ−であるか、
または
ｃｃ）−  （ａ、ｂ、ｃが０である場合に）Ｒは、（Ｒ'''が−Ｃ1〜Ｃ10アルキル、−Ｃ1〜Ｃ10アリールおよび／または−Ｃ1〜Ｃ10アラルキルである）≡Ｃ−Ｒ'''である〕の少なくとも１つの触媒は、
一般式（ｍがｎより大きく、かつＸがＦ、Ｃｌ、Ｂｒおよび／またはＩである）ＳｉmＸ2m+2および（ＸがＦ、Ｃｌ、Ｂｒおよび／またはＩである）ＳｉＸ4の少なくとも１つのハロゲン化シランを含む混合物の形成下に反応され、
および
ｂ）一般式ＳｉmＸ2m+2の少なくとも１つのハロゲン化シランは、一般式ＳｉmＨ2m+2のヒドリドシランの形成下に水素化される。
【０００９】
前記方法の欠点は、（ｍが３よりも大きい）一般式ＳｉmＨ2m+2の第一級反応生成物の記載にも拘わらず、前記一般式のヒドリドシランと（１＜ｙ＜２ｍ＋１である）一般式ＳｉmＨ(2m+2-y)Ｘyの部分ハロゲン化されたヒドリドシランとの混合物が生じることである。この部分ハロゲン化されたヒドリドシランは、さらなる加工、殊に有利にオプトエレクトロニクスにおいて使用されるシリコン含有層の製造にとって不利である。それというのも、該層中の残留塩素の割合は、低減された電気的性質を生じるからである。
【００１０】
従って、本発明の課題は、ドイツ連邦共和国特許第１０２００９０５３８０４号明細書中に記載された方法において、記載された欠点を回避するように最適化することである。
【００１１】
この課題は、本発明によれば、
ａ）ｉ）（ｎが３以上であり、かつＸがＦ、Ｃｌ、Ｂｒおよび／またはＩである）一般式ＳｉnＸ2n+2の少なくとも１つのハロゲン化シランおよび
ｉｉ）一般式
ＮＲＲ'aＲ''bＹc
〔式中、ａは、０または１であり、ｂは、０または１であり、およびｃは、０または１であり、かつ
Ｙは、
【化２】
0005921569.tif 000003
であり、
上記式中、
ａａ）−  Ｒ、Ｒ'および／またはＲ''は、−Ｃ1〜Ｃ12アルキル、−Ｃ1〜Ｃ12アリール、−Ｃ1〜Ｃ12アラルキル、−Ｃ1〜Ｃ12アミノアルキル、−Ｃ1〜Ｃ12アミノアリール、−Ｃ1〜Ｃ12アミノアラルキル、殊に有利に−Ｐｈ、−ＰｈＣＨ3、−ＰｈＣ2Ｈ5、−ＰｈＣ3Ｈ7、−ＣＨ2（Ｃ6Ｈ4）ＣＨ3、−ＣＨ2（Ｃ6Ｈ4）Ｃ2Ｈ5、−Ｃ2Ｈ4（Ｃ6Ｈ4）Ｃ2Ｈ5、−Ｃ2Ｈ4（Ｃ6Ｈ4）Ｃ3Ｈ7、−Ｃ3Ｈ6（Ｃ6Ｈ4）Ｃ3Ｈ7、−Ｃ6Ｈ2（ＣＨ3）3、−Ｃ6Ｈ3（ＣＨ3）2、−Ｃ8Ｈ7、−Ｃ8Ｈ6ＣＨ3、
（Ｒ'''およびＲ''''が−Ｃ1〜Ｃ10アルキル、−Ｃ1〜Ｃ10アリールおよび／または−Ｃ1〜Ｃ10アラルキルである）−ＰｈＮＲ'''Ｒ''''、−ＰｈＣＨ2ＮＲ'''Ｒ''''、−ＰｈＣ2Ｈ4ＮＲ'''Ｒ''''、−ＰｈＣ3Ｈ6ＮＲ'''Ｒ''''、−ＣＨ2（Ｃ6Ｈ4）ＣＨ2ＮＲ'''Ｒ''''、−ＣＨ2（Ｃ6Ｈ4）Ｃ2Ｈ4ＮＲ'''Ｒ''''、−Ｃ2Ｈ4（Ｃ6Ｈ4）Ｃ2Ｈ4ＮＲ'''Ｒ''''、−Ｃ2Ｈ4（Ｃ6Ｈ4）Ｃ3Ｈ6ＮＲ'''Ｒ''''、−Ｃ3Ｈ6（Ｃ6Ｈ4）Ｃ3Ｈ6ＮＲ'''Ｒ''''、−ＣＨ2ＮＲ'''Ｒ''''、−Ｃ2Ｈ4ＮＲ'''Ｒ''''、−Ｃ3Ｈ6ＮＲ'''Ｒ''''、−Ｃ4Ｈ8ＮＲ'''Ｒ''''、−Ｃ5Ｈ10ＮＲ'''Ｒ''''、−Ｃ6Ｈ12ＮＲ'''Ｒ''''、−Ｃ7Ｈ14ＮＲ'''Ｒ''''、−Ｃ8Ｈ16ＮＲ'''Ｒ''''、−Ｃ9Ｈ18ＮＲ'''Ｒ''''および／または−Ｃ10Ｈ20ＮＲ'''Ｒ''''であり、
および／または
−  ｃが０である場合にＲ、Ｒ'およびＲ''の２個または３個の基は、一緒になってＮを含む、環式または二環式のヘテロ脂肪族系またはヘテロ芳香族系を形成し、殊にその際に有利には、これらの環式または二環式のヘテロ脂肪族系またはヘテロ芳香族系は、ピロリジン環系、ピロール環系、ピペリジン環系、ピリジン環系、ヘキサメチレンイミン環系、アザトロピリデン環系またはキノリン環系であり、
−  但し、基Ｒ、Ｒ'またはＲ''の少なくとも１個は、−ＣＨ3ではないものとし、
および／または
ｂｂ）−  （ｃが１である場合の）ＲおよびＲ'および／またはＲ''は、−Ｃ1〜Ｃ12アルキレン、−Ｃ1〜Ｃ12アリーレン、−Ｃ1〜Ｃ12アラルキレン、−Ｃ1〜Ｃ12ヘテロアルキレン、−Ｃ1〜Ｃ12ヘテロアリーレン、−Ｃ1〜Ｃ12ヘテロアラルキレンおよび／または−Ｎ＝、
殊に有利に−ＣＨ2−、−Ｃ2Ｈ4−、−Ｃ3Ｈ6−、−Ｃ4Ｈ8−、−Ｃ5Ｈ10−、−Ｃ6Ｈ12−、−Ｃ7Ｈ14−、−Ｃ8Ｈ16−、−Ｃ9Ｈ18−、−Ｃ10Ｈ20−、−Ｐｈ−、−ＰｈＣＨ2−、−ＰｈＣ2Ｈ4−、−ＰｈＣ3Ｈ6−、−ＣＨ2（Ｃ6Ｈ4）ＣＨ2−、−ＣＨ2（Ｃ6Ｈ4）Ｃ2Ｈ4−、−Ｃ2Ｈ4（Ｃ6Ｈ4）Ｃ2Ｈ4−、−Ｃ2Ｈ4（Ｃ6Ｈ4）Ｃ3Ｈ6−、−Ｃ3Ｈ6（Ｃ6Ｈ4）Ｃ3Ｈ6−、−Ｃ6Ｈ（ＣＨ3）3−、−Ｃ6Ｈ2（ＣＨ3）2−、−ＣＨ＝、−ＣＨ＝ＣＨ−、−Ｎ＝、−Ｎ＝ＣＨ−および／または−ＣＨ＝Ｎ−であるか、
または
ｃｃ）−  （ａ、ｂ、ｃが０である場合に）Ｒは、（Ｒ'''が−Ｃ1〜Ｃ10アルキル、−Ｃ1〜Ｃ10アリールおよび／または−Ｃ1〜Ｃ10アラルキルである）≡Ｃ−Ｒ'''である〕の少なくとも１つの触媒は、
一般式（ｍがｎより大きく、かつＸがＦ、Ｃｌ、Ｂｒおよび／またはＩである）ＳｉmＸ2m+2および（ＸがＦ、Ｃｌ、Ｂｒおよび／またはＩである）ＳｉＸ4の少なくとも１つのハロゲン化シランを含む混合物の形成下に反応され、
ｂ）一般式ＳｉmＸ2m+2の少なくとも１つのハロゲン化シランは、一般式ＳｉmＨ2m+2のヒドリドシランの形成下に水素化され、
ｃ）一般式ＳｉmＨ2m+2のヒドリドシランは、（１＜ｙ＜２ｍ＋１である）一般式ＳｉmＨ(2m+2-y)Ｘyの部分ハロゲン化されたヒドリドシランと分離され、および
ｄ）任意に、工程ｃ）で分離された、（１＜ｙ＜２ｍ＋１である）一般式ＳｉmＨ(2m+2-y)Ｘyの部分ハロゲン化されたヒドリドシランは、再び水素化される方法によって解決される。
【００１２】
本発明による方法の際に使用されるハロゲンシランは、主としてシリコン原子およびハロゲン原子（ハロゲン＝フッ素、塩素、臭素、ヨウ素）だけからなりかつ少なくとも３個のシリコン原子を有する化合物である。少なくとも３個または４個のシリコン原子を有する一般式ＳｉnＸ2n+2のハロゲン化シランは、直鎖状構造または分枝鎖状構造を有することができる。
【００１３】
直鎖状ハロゲン化シランは、特に良好に本発明による方法に使用可能である。
【００１４】
好ましくは、一般式ＳｉnＸ2n+2の少なくとも１つのハロゲン化シランは、オクタハロゲントリシランまたはデカハロゲンテトラシラン、すなわちＸがＦ、Ｃｌ、Ｂｒおよび／またはＩである一般式Ｓｉ3Ｘ8またはＳｉ4Ｘ10の化合物、または挙げられたシランからなる混合物の群から選択された化合物である。
【００１５】
オクタハロゲントリシランは、殊に好ましい。他方で、前記化合物の中で、オクタフルオロトリシラン、オクタクロロトリシラン、オクタブロモトリシランおよびオクタヨードトリシラン、すなわちＸがＦ、Ｃｌ、ＢｒまたはＩである一般式Ｓｉ3Ｘ8の化合物は、特に好ましい。オクタクロロトリシランの使用は、本発明による方法の場合に、第一級方法生成物（ＳｉＸ4の他に）としてネオペンタシランが公知技術水準による別の方法による生成物よりもはるかにより高い収率およびはるかにより高い純度で製造されうるという利点を有する。本発明による方法にとってオクタクロロシランとデカクロロテトラシランとからなる混合物は、殊に有利に使用され、その際にオクタクロロトリシランの割合は、前記混合物に対して、たいてい少なくとも２０質量％、有利に少なくとも８０質量％である。
【００１６】
前記方法で使用される反応混合物に対する、少なくとも１つのハロゲン化シランの割合は、当該反応混合物の全質量に対して、特に少なくとも６０質量％、有利に少なくとも８０質量％である。殊に有利には、前記反応混合物は、少なくとも１つの触媒および単数または複数のハロゲン化シランだけを含有する。
【００１７】
本発明による方法の場合に使用可能な触媒は、一般式
ＮＲＲ'aＲ''bＹc
〔式中、ａは、０または１であり、ｂは、０または１であり、およびｃは、０または１であり、かつ
Ｙは、
【化３】
0005921569.tif 000004
であり、
上記式中、Ｒ、Ｒ'およびＲ''は、互いに独立にさまざまな一価基または二価基であってよく、これらの基は、窒素原子Ｎの置換基であるか、または任意に、存在する場合には、基Ｙを編入させながら窒素原子と共に（任意に、二環式または三環式の）環式構造を形成することができる〕の触媒である。
【００１８】
ｃが０でありかつａおよびｂが１である場合には、触媒の一般式は、第三級（任意に、環式、二環式または三環式の）アミンまたは窒素原子含有のヘテロ芳香族化合物であってよい触媒の好ましい群を説明する。
【００１９】
特に有利には、ａ、ｂが１でありかつｃが０である場合に、この場合の触媒は、第三級アミン、すなわち一般式
ＮＲＲ'Ｒ''
〔式中、Ｒ、Ｒ'およびＲ''は、−Ｐｈ、−ＰｈＣＨ3、−ＰｈＣ2Ｈ5、−ＰｈＣ3Ｈ7、−ＣＨ2（Ｃ6Ｈ4）ＣＨ3、−ＣＨ2（Ｃ6Ｈ4）Ｃ2Ｈ5、−Ｃ2Ｈ4（Ｃ6Ｈ4）Ｃ2Ｈ5、−Ｃ2Ｈ4（Ｃ6Ｈ4）Ｃ3Ｈ7、−Ｃ3Ｈ6（Ｃ6Ｈ4）Ｃ3Ｈ7、−Ｃ6Ｈ2（ＣＨ3）3、−Ｃ6Ｈ3（ＣＨ3）2、−Ｃ8Ｈ7、−Ｃ8Ｈ6ＣＨ3、（Ｒ'''およびＲ''''が−Ｃ1〜Ｃ10アルキル、−Ｃ1〜Ｃ10アリールおよび／または−Ｃ1〜Ｃ10アラルキルである）−ＰｈＮＲ'''Ｒ''''、−ＰｈＣＨ2ＮＲ'''Ｒ''''、−ＰｈＣ2Ｈ4ＮＲ'''Ｒ''''、−ＰｈＣ3Ｈ6ＮＲ'''Ｒ''''、−ＣＨ2（Ｃ6Ｈ4）ＣＨ2ＮＲ'''Ｒ''''、−ＣＨ2（Ｃ6Ｈ4）Ｃ2Ｈ4ＮＲ'''Ｒ''''、−Ｃ2Ｈ4（Ｃ6Ｈ4）Ｃ2Ｈ4ＮＲ'''Ｒ''''、−Ｃ2Ｈ4（Ｃ6Ｈ4）Ｃ3Ｈ6ＮＲ'''Ｒ''''、−Ｃ3Ｈ6（Ｃ6Ｈ4）Ｃ3Ｈ6ＮＲ'''Ｒ''''、−ＣＨ2ＮＲ'''Ｒ''''、−Ｃ2Ｈ4ＮＲ'''Ｒ''''、−Ｃ3Ｈ6ＮＲ'''Ｒ''''、−Ｃ4Ｈ8ＮＲ'''Ｒ''''、−Ｃ5Ｈ10ＮＲ'''Ｒ''''、−Ｃ6Ｈ12ＮＲ'''Ｒ''''、−Ｃ7Ｈ14ＮＲ'''Ｒ''''、−Ｃ8Ｈ16ＮＲ'''Ｒ''''、−Ｃ9Ｈ18ＮＲ'''Ｒ''''および／または−Ｃ10Ｈ20ＮＲ'''Ｒ''''であり、
但し、基Ｒ、Ｒ'またはＲ''の少なくとも１個は、−ＣＨ3ではないものとする〕の触媒である。
【００２０】
特に、ｃが０であり、かつａが１であり、かつｂが０または１である場合の基Ｒ、Ｒ'またはＲ''の２個または３個は、一緒になってＮを含む、環式または二環式のヘテロ脂肪族系またはヘテロ芳香族系を形成することができる。好ましくは、その際に生じる触媒は、環式または二環式のヘテロ脂肪族環系またはヘテロ芳香族環系、有利にピロリジン、ピロール、ピペリジン、ピリジン、ヘキサメチレンイミン、アザトロピリデンまたはキノリンである。
【００２１】
好ましくは、（ａ、ｂ、ｃが０である場合の）Ｒは、（Ｒ'''が−Ｃ1〜Ｃ10アルキル、−Ｃ1〜Ｃ10アリールおよび／または−Ｃ1〜Ｃ10アラルキルである）＝Ｃ−Ｒ'''であってもよい。相応する触媒は、アルキルニトリルである。
【００２２】
ｃが１である場合には、一般式ＮＲＲ'aＲ''bＹcは、環式構造または二環式（任意に多環式の）環式構造を有する、少なくとも１個のさらなるヘテロ原子を有する様々な触媒を説明する。
【００２３】
好ましい単環式構造、例えばトリアゾール、オキサジンまたはピペラジンは、
Ｙが
【化４】
0005921569.tif 000005
であり、かつ
相応する基Ｒ、Ｒ'またはＲ''の２個または３個が−Ｃ1〜Ｃ12アルキレン基、−Ｃ1〜Ｃ12アリーレン基、−Ｃ1〜Ｃ12アラルキレン基、−Ｃ1〜Ｃ12ヘテロアルキレン基、−Ｃ1〜Ｃ12ヘテロアリーレン基および−Ｃ1〜Ｃ12ヘテロアラルキレン基および／または−Ｎ＝（有利に、−ＣＨ2−、−Ｃ2Ｈ4−、−Ｃ3Ｈ6−、−Ｃ4Ｈ8−、−Ｃ5Ｈ10−、−Ｃ6Ｈ12−、−Ｃ7Ｈ14−、−Ｃ8Ｈ16−、−Ｃ9Ｈ18−、−Ｃ10Ｈ20−、−Ｐｈ−、−ＰｈＣＨ2−、−ＰｈＣ2Ｈ4−、−ＰｈＣ3Ｈ6−、−ＣＨ2（Ｃ6Ｈ4）ＣＨ2−、−ＣＨ2（Ｃ6Ｈ4）Ｃ2Ｈ4−、−Ｃ2Ｈ4（Ｃ6Ｈ4）Ｃ2Ｈ4−、−Ｃ2Ｈ4（Ｃ6Ｈ4）Ｃ3Ｈ6−、−Ｃ3Ｈ6（Ｃ6Ｈ4）Ｃ3Ｈ6−、−Ｃ6Ｈ（ＣＨ3）3−、−Ｃ6Ｈ2（ＣＨ3）2−、−ＣＨ＝、−ＣＨ＝ＣＨ−、−Ｎ＝、−Ｎ＝ＣＨ−および／または−ＣＨ＝Ｎ−）からなる群から選択される場合に生じる。
【００２４】
更に、それぞれ任意に前記環の形成の際に関与しない基Ｒ、Ｒ'またはＲ''は、
−Ｃ1〜Ｃ12アルキル、−Ｃ1〜Ｃ12アリール、−Ｃ1〜Ｃ12アラルキル、−Ｃ1〜Ｃ12アミノアルキル、−Ｃ1〜Ｃ12アミノアリール、−Ｃ1〜Ｃ12アミノアラルキル、有利に−Ｐｈ、−ＰｈＣＨ3、−ＰｈＣ2Ｈ5、−ＰｈＣ3Ｈ7、−ＣＨ2（Ｃ6Ｈ4）ＣＨ3、−ＣＨ2（Ｃ6Ｈ4）Ｃ2Ｈ5、−Ｃ2Ｈ4（Ｃ6Ｈ4）Ｃ2Ｈ5、−Ｃ2Ｈ4（Ｃ6Ｈ4）Ｃ3Ｈ7、−Ｃ3Ｈ6（Ｃ6Ｈ4）Ｃ3Ｈ7、−Ｃ6Ｈ2（ＣＨ3）3、−Ｃ6Ｈ3（ＣＨ3）2、−Ｃ8Ｈ7、−Ｃ8Ｈ6ＣＨ3、
（Ｒ'''およびＲ''''が−Ｃ1〜Ｃ10アルキル、−Ｃ1〜Ｃ10アリールおよび／または−Ｃ1〜Ｃ10アラルキルである）−ＰｈＮＲ'''Ｒ''''、−ＰｈＣＨ2ＮＲ'''Ｒ''''、−ＰｈＣ2Ｈ4ＮＲ'''Ｒ''''、−ＰｈＣ3Ｈ6ＮＲ'''Ｒ''''、−ＣＨ2（Ｃ6Ｈ4）ＣＨ2ＮＲ'''Ｒ''''、−ＣＨ2（Ｃ6Ｈ4）Ｃ2Ｈ4ＮＲ'''Ｒ''''、−Ｃ2Ｈ4（Ｃ6Ｈ4）Ｃ2Ｈ4ＮＲ'''Ｒ''''、−Ｃ2Ｈ4（Ｃ6Ｈ4）Ｃ3Ｈ6ＮＲ'''Ｒ''''、−Ｃ3Ｈ6（Ｃ6Ｈ4）Ｃ3Ｈ6ＮＲ'''Ｒ''''、−ＣＨ2ＮＲ'''Ｒ''''、−Ｃ2Ｈ4ＮＲ'''Ｒ''''、−Ｃ3Ｈ6ＮＲ'''Ｒ''''、−Ｃ4Ｈ8ＮＲ'''Ｒ''''、−Ｃ5Ｈ10ＮＲ'''Ｒ''''、−Ｃ6Ｈ12ＮＲ'''Ｒ''''、−Ｃ7Ｈ14ＮＲ'''Ｒ''''、−Ｃ8Ｈ16ＮＲ'''Ｒ''''、−Ｃ9Ｈ18ＮＲ'''Ｒ''''および／または−Ｃ10Ｈ20ＮＲ'''Ｒ''''からなる群から選択されている。
【００２５】
殊に有利に、ｃが１である一般式ＮＲＲ'aＲ''bＹcの触媒は、二環式または多環式のアミン化合物である。二環式または多環式のアミン化合物は、
Ｙが
【化５】
0005921569.tif 000006
であり、かつ−Ｃ1〜Ｃ12アルキレン基、−Ｃ1〜Ｃ12アリーレン基、−Ｃ1〜Ｃ12アラルキレン基、−Ｃ1〜Ｃ12ヘテロアルキレン基、−Ｃ1〜Ｃ12ヘテロアリーレン基および−Ｃ1〜Ｃ12ヘテロアラルキレン基および／または−Ｎ＝からなる群からの基Ｒ、Ｒ'またはＲ''の相応する選択が当てはまる場合に生じる。更に、好ましくは、基Ｒ、Ｒ'またはＲ''は、−ＣＨ2−、−Ｃ2Ｈ4−、−Ｃ3Ｈ6−、−Ｃ4Ｈ8−、−Ｃ5Ｈ10−、−Ｃ6Ｈ12−、−Ｃ7Ｈ14−、−Ｃ8Ｈ16−、−Ｃ9Ｈ18−、−Ｃ10Ｈ20−、−Ｐｈ−、−ＰｈＣＨ2−、−ＰｈＣ2Ｈ4−、−ＰｈＣ3Ｈ6−、−ＣＨ2（Ｃ6Ｈ4）ＣＨ2−、−ＣＨ2（Ｃ6Ｈ4）Ｃ2Ｈ4−、−Ｃ2Ｈ4（Ｃ6Ｈ4）Ｃ2Ｈ4−、−Ｃ2Ｈ4（Ｃ6Ｈ4）Ｃ3Ｈ6−、−Ｃ3Ｈ6（Ｃ6Ｈ4）Ｃ3Ｈ6−、−Ｃ6Ｈ（ＣＨ3）3−、−Ｃ6Ｈ2（ＣＨ3）2−、−ＣＨ＝、−ＣＨ＝ＣＨ−、−Ｎ＝、−Ｎ＝ＣＨ−および／または−ＣＨ＝Ｎ−からなる群から選択されている。殊に好ましい触媒は、アザビシクロアルカンおよびピペラジン、殊にジアザビシクロオクタンおよびＮ，Ｎ−１，４−ジメチルピペラジンである。
【００２６】
最もよい結果は、本発明による方法の場合に、さらなるヘテロ原子を有するかまたは有しない環式、二環式または多環式のアミンからなる化合物の群から選択された触媒を使用する場合に達成されうる。
【００２７】
なおさらに好ましくは、触媒として、ジアザビシクロオクタン、ピリジンおよびＮ，Ｎ−１，４−ジメチルピペラジンが使用されうる。前記の触媒は、オクタハロゲントリシラン、デカハロゲンテトラシランまたはこれらからなる混合物を相応するテトラキス（トリハロシリル）シラン（Ｓｉ（ＳｉＸ3）4）へ変換することを触媒反応により行なうために、特に良好に適している。
【００２８】
従って、同様に本発明の対象は、
ａ）ｉ）ＸがＦ、Ｃｌ、Ｂｒおよび／またはＩである一般式Ｓｉ3Ｘ8の少なくとも１つのオクタハロゲントリシラン、ＸがＦ、Ｃｌ、Ｂｒおよび／またはＩである一般式Ｓｉ4Ｘ10のデカハロゲンテトラシラン、またはこれらからなる混合物を、
ｉｉ）ジアザビシクロオクタン、ピリジンおよびＮ，Ｎ−１，４−ジメチルピペラジンからなる群から選択された、少なくとも１つの触媒と、
一般式（ＸがＦ、Ｃｌ、Ｂｒおよび／またはＩである）Ｓｉ5Ｘ12および（ＸがＦ、Ｃｌ、Ｂｒおよび／またはＩである）ＳｉＸ4の少なくとも１つのハロゲン化シランを含む混合物の形成下に反応させ、
ｂ）一般式Ｓｉ5Ｘ12の少なくとも１つのハロゲン化シランを一般式Ｓｉ5Ｈ12のネオペンタシランの形成下に水素化し、
ｃ）一般式Ｓｉ5Ｈ12のネオペンタシランを（１＜ｙ＜１１である）一般式Ｓｉ5Ｈ12-yＸyの部分ハロゲン化されたヒドリドシランと分離し、かつ
ｄ）任意に、工程ｃ）で分離された、（１＜ｙ＜１１である）一般式Ｓｉ5Ｈ12-yＸyの部分ハロゲン化されたヒドリドシランを、再び水素化する、ネオペンタシランを製造するための方法である。
【００２９】
クロロシランの使用された量に対する、少なくとも１つの触媒の割合は、ヒドリドシラン、殊にネオペンタシランを製造するための本発明による方法の際に、有利に０．００１〜１質量％である。
【００３０】
その際に、前記触媒は、純粋な物質として使用されうるか、または溶剤中、例えばジエチルエーテル中の懸濁液として、有利に当該懸濁液の全質量に対して１〜２５質量％の触媒の割合で使用されうる。
【００３１】
この反応は、溶剤の存在下または不在下で行なうことができる。好ましくは、本発明による方法は、溶剤なしで実施される。しかし、本発明による方法を溶剤の存在下で実施する場合には、好ましい溶剤として、１８個までの炭素原子を有する直鎖状、分枝鎖状または環式の、飽和、不飽和または芳香族の炭化水素からなる群から選択された溶剤（任意に部分的または完全にハロゲン化された）、エーテル、ケトンおよびエステルが使用されてよい。特に、ｎ−ペンタン、ｎ−ヘキサン、ｎ−ヘプタン、ｎ−オクタン、ｎ−デカン、ドデカン、テトラデカン、ヘキサデカン、シクロヘキサン、シクロオクタン、シクロデカン、ジシクロペンタン、ベンゼン、トルエン、ｍ−キシレン、ｐ−キシレン、メシチレン、テトヒドロナフタリン、デカヒドロナフタリン、ジエチルエーテル、ジプロピルエーテル、エチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、テトラヒドロフラン、アセトン、ｐ−ジオキサン、アセトニトリル、ジメチルホルムアミド、ジメチルスルホキシド、ジクロロメタンおよびクロロホルムが好ましい。特に良好に使用可能な溶剤は、炭化水素のｎ−ペンタン、ｎ−ヘキサン、ｎ−ヘプタン、ｎ−オクタン、ｎ−デカン、ドデカン、シクロヘキサン、シクロオクタン、シクロデカン、ベンゼン、トルエン、ｍ−キシレン、ｐ−キシレン、メシチレンである。前記溶剤は、全質量の０．０１〜９０質量％であることができる。
【００３２】
一般式ＳｉnＸ2n+2のハロゲン化シランの触媒により促進される変換は、有利に−７８〜３００℃の温度および１ミリバール〜５バールの圧力で行なわれる。
【００３３】
特に有利には、ハロゲン化シランの触媒により促進される変換は、１０〜５０℃および９００〜１１００ミリバールで行なわれる。
【００３４】
一般式（ｍがｎより大きく、かつＸがＦ、Ｃｌ、Ｂｒおよび／またはＩである）ＳｉmＸ2m+2およびＳｉＸ4の少なくとも１つのハロゲン化シランを含む混合物の形成後に、前記混合物は、原理的にさらなる後精製なしに次の水素化に使用されてよい。
【００３５】
しかし、有利に、生じたテトラハロゲン化シランは、水素化前に一般式ＳｉmＸ2m+2の生じたハロゲン化シランと分離される。更に有利には、これは、ＳｉＸ4の留去または抽出により、−３０〜＋１００℃の温度および０．０１〜１１００ミリバールの圧力、有利に＋３０〜＋６０℃の温度および０．０２〜１．０ミリバールの圧力で行なわれる。
【００３６】
一般式ＳｉmＸ2m+2の少なくとも１つのハロゲン化シランは、工程ｂ）およびｄ）において、一般式ＳｉmＸ2m+2のヒドリドシランの形成下に水素化される。好ましくは、これは、第１主族〜第３主族の金属の金属水素化物の群（殊に、アルカリ金属水素化物またはアルカリ土類金属水素化物）またはＬｉＡｌＨ4、ＮａＢＨ4、ｉＢｕ2ＡｌＨからなる水素化物化合物の群から選択された、少なくとも１つの水素化剤を使用しながら行なわれる。特に有利には、水素化剤は、ｉＢｕ2ＡｌＨである。
【００３７】
また、本発明による方法により製造可能なヒドリドシランとは、実質的に単にシリコン原子および水素原子を含む化合物であると解釈することができる。このヒドリドシランは、ガス状、液状または固体であってよく、かつ固体の場合には、実質的に溶剤中、例えばトルエンもしくはシクロヘキサン中、または液状シラン中、例えばシクロペンタシラン中で可溶性である。例として、ジシラン、トリシラン、シクロペンタシランおよびネオペンタシランが挙げられる。また、このヒドリドシランは、Ｓｉ−Ｈ結合を有する直鎖状または分鎖状の構造を有していてよい。本発明による方法は、分枝鎖状ヒドリドシランの製造に特に良好に適している。殊に、ネオペンタシランの製造に適した出発物質を選択する場合には、特に良好に適している。
【００３８】
工程ｂ）において、水素化剤は、特に良好な結果の達成のために、ハロゲン化シランの水素化すべきハロゲン原子に対して、１．０〜１．５、有利に１．０５〜１．２のＨ当量の割合で使用される。
【００３９】
工程ｄ）において、完全な水素化を達成するために、より僅かな割合の水素化剤を使用することができる。好ましくは、工程ｄ）において、元来工程ｂ）において水素化すべき、ハロゲン化シランのハロゲン原子に対して０．０５〜０．５、有利に０．１〜０．３のＨ当量の割合が使用される。
【００４０】
また、前記水素化は、溶剤の存在下または不在下で行なうことができる。好ましくは、前記水素化は、溶剤の存在下で実施される。有利に使用可能な溶剤は、１８個までの炭素原子を有する直鎖状、分枝鎖状または環式の、飽和、不飽和または芳香族の炭化水素およびエーテルからなる群から選択されてよい。特に、ｎ−ペンタン、ｎ−ヘキサン、ｎ−ヘプタン、ｎ−オクタン、ｎ−デカン、ドデカン、シクロヘキサン、シクロオクタン、シクロデカン、ジシクロペンタン、ベンゼン、トルエン、ｍ−キシレン、ｐ−キシレン、メシチレン、テトヒドロナフタリン、デカヒドロナフタリン、ジエチルエーテル、ジプロピルエーテル、エチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、テトラヒドロフラン、ｐ−ジオキサン、アセトニトリルが好ましい。特に良好に使用可能な溶剤は、炭化水素のｎ−ペンタン、ｎ−ヘキサン、ｎ−ヘプタン、ｎ−オクタン、ｎ−デカン、ドデカン、テトラデカン、ヘキサデカン、シクロヘキサン、シクロオクタン、シクロデカン、ベンゼン、トルエン、ｍ−キシレン、ｐ−キシレン、メシチレンである。特に好ましい変法において、使用される水素化剤がｉ−Ｂｕ2ＡｌＨである場合には、水素化の際に生じる液状ｉ−Ｂｕ2ＡｌＣｌは、溶剤として利用されうる。前記溶剤は、全質量の０．０１〜９０質量％であることができる。
【００４１】
一般式ＳｉmＸ2m+2のハロゲン化シランの水素化は、有利に−７８〜３００℃の温度および５００ミリバール〜５バールの圧力で行なわれる。特に有利には、水素化は、−１０〜３０℃および９００〜１１００ミリバールで行なわれる。
【００４２】
工程ｂ）の終結後に必要とされる、その際に存在するヒドリドシランと部分ハロゲン化されたヒドリドシラン（工程ｃ））との分離は、原理的に任意に行なうことができる。
【００４３】
有利に、前記混合物の僅かな熱的負荷、ひいては低減された分解、さらなる反応または後続反応のために、蒸発器中での分離は、短い滞留時間およびより低い蒸発圧力で実施される。このために、薄膜蒸発器が使用されてよく、または、短路蒸発器、分子蒸留とも呼称される、が使用されてもよい。この場合、典型的な方法圧力は、５ミリバール未満である。蒸発器内の生成物温度は、生成物の分解を阻止するために、１００℃を上廻るべきではなかった。これによって取得される留出物は、引続き精留プロセスにおいてさらに後精製される。塔底生成物は、前記反応のための溶剤としての再利用に供給されてよい。その際に生じる、冷却トラップ中で捕集される低沸点物は、価値のある生成物として使用されるか、または塩化物含量に依存して廃棄される。
【００４４】
蒸発の際に得られた留出物のさらなる後精製は、精留塔内で行なわれる。その際、連続的な実施が行なわれうるか、またはバッチ形式での実施が行なわれうる。精留は、５０〜１００℃の温度範囲内で、塔底部で行なわれるかまたは精留装置のバブルトレイ（Ｂｌａｓｅ）で行なわれる。しかし、この精留は、１５０℃までに高められてもよい。その際に調節すべき精留圧力は、１〜１００ミリバールの範囲内にある。
【００４５】
バッチ式精留の場合、価値のある生成物の引き取りは、分別して行なわれる。連続的な後処理の場合、少なくとも２個の塔が必要とされ、その際に第２の塔内の価値のある生成物は、留出物として引き取られる。
【００４６】
その際に、専ら生じる反応した水素化剤は、塔底部内に取り残され、および部分ハロゲン化されたヒドリドシランは、濃縮されて留出物中に生じる。
【００４７】
工程ｄ）の終結後、前記反応混合物は、第２の水素化が行なわれた後に、有利に蒸留により後精製される。
【００４８】
特に純粋な生成物を達成させるために、蒸留による後精製に続いて精密浄化が行なわれうる。この精密浄化は、例えば適当な吸着法またはクロマトグラフィー法によって行なうことができる。
【００４９】
同様に、本発明の対象は、前記方法により製造可能なヒドリドシランである。
【００５０】
更に、本発明の対象は、殊に光起電力の用途のために、またはトランジスタにおいて、電子素子層または光電子素子層を製造するための、本発明による方法により製造可能なヒドリドシランの使用である。
【００５１】
同様に、本発明の対象は、シリコン含有層、特に元素状シリコン層を製造するための、本発明により製造可能なヒドリドシランの使用である。
【００５２】
次の実施例は、本発明の対象をさらに補足して説明するが、これに限定されるものではない。
【実施例】
【００５３】
例
実施例１：ハロゲン化シランからの高級ヒドリドシランの合成およびヒドリドシランの縮合（水素化剤のＨ当量の割合：１．２）
第１の工程において、２０℃および１バールで保護ガス雰囲気下で液状ペルクロロシラン混合物３０４ｇ（Ｓｉ3Ｃｌ8  ７５質量％超、Ｓｉ4Ｃｌ10  ２２質量％超）に、反応容器中で攪拌しながら、ジエチルエーテル７．１ｇ中に溶解したヘキサン４６．７ｇおよびジアザビシクロ［２．２．２］オクタン０．９ｇを添加する。この反応器内容物を氷冷却によって２０℃未満の温度に温度調節する。この混合物は、４０時間内で反応し、固体のＳｉ5Ｃｌ12および副生成物のＳｉＣｌ4になる。
【００５４】
前記反応工程後、低沸点物（ヘキサン、ジエチルエーテル）および副生成物ＳｉＣｌ4を５０℃で真空（２００〜１ミリバール）中で前記反応混合物から分離する。Ｓｉ5Ｃｌ12  ２４３．２ｇが得られる。
【００５５】
得られたＳｉ5Ｃｌ12  ４２．７ｇを保護ガス雰囲気下にジイソブチルアルミニウムクロリド２０．０ｇ中に分散させる。その後に、水素化剤ジイソブチルアルミニウムヒドリド１４９ｇを順次に攪拌しながら添加する。反応の発熱のために、反応器を水素化の際に氷冷却によって温度調節し、したがって、反応器中の温度は、２０℃を上廻らない。この反応混合物をさらに１８時間氷冷却下に攪拌する。
【００５６】
その後に、２０℃で常圧（１．０１３バール）下および保護ガス雰囲気下で揮発性成分、例えばＳｉＨ4を反応混合物から除去する。すぐ次の工程において、ヒドリドシランを２０℃で真空（圧力１ミリバール未満）下で蒸発によって、分散剤のジイソブチルアルミニウムクロリドおよび未反応のジイソブチルアルミニウムヒドリドと分離する。前記縮合物は、ヒドリドシランを含有している。
【００５７】
前記縮合物中のヒドリドシランの定性分析による測定は、ＧＣ−ＭＳ分析により行なわれた。前記縮合物は、９８．０面積％超の割合を有するヒドリドシランを含有している。
【００５８】
質量に対する収率（使用されたペルクロロシラン混合物１ｇ当たりの縮合物としてのヒドリドシランのｇ数）：２０．８％（ヒドリドシラン１１．１ｇ／ペルクロロシラン混合物５３．４ｇ）
【００５９】
留出物として得られたヒドリドシランの塩化物含量：塩化物４７０ｐｐｍ。
【００６０】
実施例２：ハロゲン化シランからの高級ヒドリドシランの合成および当該高級ヒドリドシランの熱的後精製（水素化剤のＨ当量の割合：１．１）
第１の工程において、２０℃および１バールで保護ガス雰囲気下で液状ペルクロロシラン混合物１５６７ｇ（Ｓｉ3Ｃｌ8  ７５質量％超、Ｓｉ4Ｃｌ10  ２２質量％超）に、反応容器中で攪拌しながら、ジエチルエーテル１４．２ｇ中に溶解したヘキサン２２５．７ｇおよびジアザビシクロ［２．２．２］オクタン１．８５ｇを添加する。この反応器内容物を氷冷却によって２０℃未満の温度に温度調節する。この混合物は、４０時間内で反応し、固体のＳｉ5Ｃｌ12および副生成物のＳｉＣｌ4になる。この反応工程後、主にＳｉ5Ｃｌ12を含有する混合物に分散剤としてのジイソブチルアルミニウムクロリド１０１５ｇを添加する。次に、低沸点物（ヘキサン、ジエチルエーテル）および副生成物ＳｉＣｌ4を真空（２００〜１ミリバール）下に分離する。
【００６１】
ジイソブチルアルミニウムクロリド中に分散されたＳｉ5Ｃｌ12に、保護雰囲気下に順次に攪拌しながら、水素化剤ジイソブチルアルミニウムヒドリド４１３７ｇを添加する。反応の発熱のために、反応器を水素化の際に氷冷却によって温度調節し、したがって、反応器中の温度は、２０℃を上廻らない。この反応混合物をさらに１８時間氷冷却下に攪拌する。
【００６２】
その後に、２０℃で常圧（１．０１３バール）下および保護ガス雰囲気下で揮発性成分、例えばＳｉＨ4を反応混合物から除去する。短路蒸発器中で、真空（圧力１ミリバール未満）下に７２℃でジイソブチルアルミニウムクロリドおよび塔底生成物としての未反応のジイソブチルアルミニウムヒドリドを分離する。短路蒸発器からの塔頂生成物（留出物）を精留工程においてバッチ式精留により１０〜１００ミリバールの圧力および９５℃の蒸発器バブルトレイ中の温度でさらに後精製する。ヒドリドシランをバッチ式精留からの留出物として取り出す。
【００６３】
前記留出物中のヒドリドシランの定性分析による測定は、ＧＣ−ＭＳ分析により行なわれた。前記留出物は、９９．０面積％超の割合を有するヒドリドシランを含有している。
【００６４】
質量に対する収率（使用されたペルクロロシラン混合物１ｇ当たりの留出物としてのヒドリドシランのｇ数）：１４．６％（ヒドリドシラン２２８ｇ／ペルクロロシラン混合物１５６７ｇ）
【００６５】
留出物として得られたヒドリドシランの塩化物含量：塩化物４１ｐｐｍ。
【００６６】
実施例３：塩化物含量を減少させるための高級ヒドリドシランの後水素化および当該高級ヒドリドシランの熱的後精製
より高い塩化物値を有する例２からの留出物留分は、一つにまとめられ、前記混合物の塩化物値は、測定された。このヒドリドシラン混合物をここに記載された試験において、出発物質として使用する。
【００６７】
４５７ｐｐｍの塩化物含量を有するヒドリドシラン混合物１８５ｇ（ヒドリドシラン９９．０面積％超）に、保護ガス雰囲気下に順次に攪拌しながらジイソブチルアルミニウムヒドリド８４ｇを添加する。反応の発熱のために、反応器を水素化の際に氷冷却によって温度調節し、したがって、反応器中の温度は、２０℃を上廻らない。この反応混合物をさらに１８時間氷冷却下に攪拌する。
【００６８】
水素化後に、２０℃で常圧（１．０１３バール）下に揮発性成分、例えばＳｉＨ4を前記反応混合物から除去する。この反応混合物を精留工程においてバッチ式精留により１０〜１００ミリバールの圧力および９５℃の蒸発器バブルトレイ中の温度でさらに後精製する。この留出物は、望ましいヒドリドシランを含有している。
【００６９】
質量に対する収率（使用されたヒドリドシラン混合物１ｇ当たりの留出物としてのヒドリドシランのｇ数）：８７．３％（留出物としてのヒドリドシラン１６１．５ｇ／ヒドリドシラン混合物１８５ｇ）
【００７０】
留出物として得られたヒドリドシランの塩化物含量：塩化物１６ｐｐｍ。
【００７１】
前記留出物中のヒドリドシランの定性分析による測定は、ＧＣ−ＭＳ分析により行なわれた。前記留出物は、９９．０面積％超の割合を有するヒドリドシランを含有している。